【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
支持体、および該支持体上に形成された感光層を有する電子写真感光体において、
該電子写真感光体が、下記式（１）で示される化合物を重合させて得られる重合物を含有する表面層を有し、
該表面層が、さらに、下記式（Ｇ）で示される化合物、および下記式（Ｈ）で示される化合物からなる群より選択される少なくとも１種の化合物を該重合物の全質量に対して５ｐｐｍ以上１５００ｐｐｍ以下の含有比率で含有することを特徴とする電子写真感光体。
【化１】
2013137517.tif 000001
（式（１）中、Ａｒ１およびＡｒ２は、置換基を有するフェニル基を示す。Ａｒ３は、置換もしくは無置換のフェニレン基を示す。Ｍは、上記式（Ｍ）で示される基であり、式（Ｍ）中、ｎは３または４の整数である。置換フェニル基の置換基、および置換フェニレン基の置換基としては、メチル基、エチル基、ｎ−プロピル基、メトキシ基、エトキシ基、プロポキシ基である。）
【化２】
2013137517.tif 000002
（式（Ｇ）、（Ｈ）中、Ｒ７１〜Ｒ７４、Ｒ７６、Ｒ７７、Ｒ７９、およびＲ８０は、それぞれ独立に、水素原子、水酸基、置換もしくは無置換のアルキル基、置換もしくは無置換のアリール基、置換もしくは無置換のアルコキシ基を示し、Ｒ７１とＲ７４の少なくとも１つ、Ｒ７２とＲ７３の少なくとも１つ、Ｒ７６とＲ８０の少なくとも１つ、およびＲ７７とＲ７９の少なくとも１つは、それぞれ独立に、水素原子、メチル基、または水酸基である。Ｒ７５及びＲ７８はそれぞれ独立に、水素原子、置換もしくは無置換のアルキル基、置換もしくは無置換のアリール基を示し、Ｒ７５及びＲ７８のうち少なくとも１つは水素原子である。）
【請求項２】
前記重合物が、前記式（１）で示される化合物と、電荷輸送性構造を有さない複数のメタクリロイルオキシ基を有する化合物とを含む組成物を重合させて得られる重合物である請求項１に記載の電子写真感光体。
【請求項３】
前記電荷輸送性構造を有さない複数のメタクリロイルオキシ基を有する化合物が、下記式（Ａ）で示される化合物である請求項２に記載の電子写真感光体。
【化３】
2013137517.tif 000003
（式（Ａ）中、Ｒ１１〜Ｒ１６は、それぞれ独立に、水素原子、メチル基、エチル基、ｎ−プロピル基、トリフルオロメチル基、ヒドロキシ基、メトキシ基、エトキシ基、アミノ基、ジメチルアミノ基、トリメチルシリル基、フッ素原子、塩素原子または、臭素原子を示す。Ｘ１１〜Ｘ２０は、それぞれ独立に、単結合、またはアルキレン基を示す。Ｐ１〜Ｐ１０は、それぞれ独立に、水素原子、メチル基、エチル基、ｎ−プロピル基、トリフルオロメチル基、ヒドロキシ基、メトキシ基、エトキシ基、アミノ基、ジメチルアミノ基、トリメチルシリル基、フッ素原子、塩素原子、臭素原子、または、メタクリロイルオキシ基を示す。ただし、Ｘ１１が単結合である場合は、Ｐ１とＲ１１とが共同してオキソ基（＝Ｏ）を形成してもよい。Ｘ１２が単結合である場合は、Ｐ２とＲ１２とが共同してオキソ基（＝Ｏ）を形成してもよい。Ｘ１３が単結合である場合は、Ｐ３とＲ１３とが共同してオキソ基（＝Ｏ）を形成してもよい。Ｘ１４が単結合である場合は、Ｐ４とＲ１４とが共同してオキソ基（＝Ｏ）を形成してもよい。Ｘ１５が単結合である場合は、Ｐ５とＲ１５とが共同してオキソ基（＝Ｏ）を形成してもよい。Ｘ１６が単結合である場合は、Ｐ６とＲ１６とが共同してオキソ基（＝Ｏ）を形成してもよい。また、Ｐ１〜Ｐ１０のうち少なくとも２つは、メタクリロイルオキシ基であり、Ｐ１がメタクリロイルオキシ基である場合、Ｒ１１は水素原子であり、Ｐ２がメタクリロイルオキシ基である場合、Ｒ１２は水素原子であり、Ｐ３がメタクリロイルオキシ基である場合、Ｒ１３は水素原子であり、Ｐ４がメタクリロイルオキシ基である場合、Ｒ１４は水素原子であり、Ｐ５がメタクリロイルオキシ基である場合、Ｒ１５は水素原子であり、Ｐ６がメタクリロイルオキシ基である場合、Ｒ１６は水素原子である。）
【請求項４】
前記電荷輸送性構造を有さない複数のメタクリロイルオキシ基を有する化合物が、下記式（Ｂ）で示される化合物および下記式（Ｃ）で示される化合物からなる群より選択される少なくとも１種である請求項２に記載の電子写真感光体。
【化４】
2013137517.tif 000004
（式（Ｂ）、（Ｃ）中、Ｒ１〜Ｒ５は、それぞれ独立に、メチル基、エチル基、ｎ−プロピル基、メトキシメチル基、トリフルオロメチル基、トリクロロメチル基、メトキシ基、エトキシ基、プロポキシ基、メトキシメトキシ基、トリフルオロメトキシ基、トリクロロメトキシ基、ジメチルアミノ基、又はフッ素原子を示す。Ｘ２１〜Ｘ２４、およびＸ４１〜Ｘ４６は、それぞれ独立に、アルキレン基を示す。Ｐ１１〜Ｐ１４、Ｐ３１〜Ｐ３６は、それぞれ独立に、水素原子、またはメタクリロイルオキシ基を示し、Ｐ１１〜Ｐ１４のうち少なくとも２つ、Ｐ３１〜Ｐ３６のうち少なくとも２つはメタクリロイルオキシ基である。ａ、ｂ、ｇおよびｈは、０〜５の整数を示し、ｉは、０〜４の整数を示す。ｃ、ｄ、ｊおよびｋは、０又は１を示す。）
【請求項５】
前記表面層が、さらに下記式（Ｄ）で示される化合物、下記式（Ｅ）で示される化合物および下記式（Ｆ）で示される化合物からなる群より選択される少なくとも１種を含有する請求項１から４のいずれか１項に記載の電子写真感光体。
【化５】
2013137517.tif 000005
（式（Ｄ）、（Ｅ）および（Ｆ）中、Ｒ３１〜Ｒ３４、Ｒ４１〜Ｒ４６、Ｒ５１〜Ｒ５８は、それぞれ独立に、アルキル基を示す。Ａｒ３２、Ａｒ４２〜Ａｒ４３、Ａｒ５２〜Ａｒ５４は、それぞれ独立に、置換もしくは無置換のアリーレン基を示す。該置換アリーレン基の置換基としては、アルキル基、アルコキシ置換アルキル基、ハロゲン置換アルキル基、アルコキシ基、アルコキシ置換アルコキシ基、ハロゲン置換アルコキシ基、または、ハロゲン原子である。Ａｒ３１、Ａｒ３３、Ａｒ４１、Ａｒ４４、Ａｒ５１、Ａｒ５５は、それぞれ独立に、置換もしくは無置換のアリール基、または縮合環を示す。該置換アリール基の置換基としては、カルボキシル基、シアノ基、ジアルキルアミノ基、水酸基、アルキル基、アルコキシ置換アルキル基、ハロゲン置換アルキル基、アルコキシ基、アルコキシ置換アルコキシ基、ハロゲン置換アルコキシ基、ニトロ基、またはハロゲン原子である。）
【請求項６】
前記式（Ｈ）で示される化合物がヒドロキノンモノメチルエーテルである請求項１から５のいずれか１項に記載の電子写真感光体。
【請求項７】
請求項１から６のいずれか１項に記載の電子写真感光体を製造する電子写真感光体の製造方法であって、
前記式（１）で示される化合物を含有する表面層用塗布液を用いて塗膜を形成し、
該塗膜に含有される前記式（１）で示される化合物を重合させることによって前記表面層を形成する工程を有することを特徴とする電子写真感光体の製造方法。
【請求項８】
前記塗膜に電子線を照射することにより前記式（１）で示される化合物を重合させる請求項７に記載の電子写真感光体の製造方法。
【請求項９】
請求項１から６のいずれか１項に記載の電子写真感光体と、帯電手段、現像手段、転写手段及びクリーニング手段からなる群より選ばれる少なくとも１つの手段とを一体に支持し、電子写真装置本体に着脱自在であることを特徴とするプロセスカートリッジ。
【請求項１０】
請求項１から６のいずれか１項に記載の電子写真感光体と、帯電手段、露光手段、現像手段、および転写手段を有することを特徴とする電子写真装置。
【手続補正２】
【補正対象書類名】明細書
【補正対象項目名】０００９
【補正方法】変更
【補正の内容】
【０００９】
本発明は、支持体、および該支持体上に形成された感光層を有する電子写真感光体において、
該電子写真感光体が、下記式（１）で示される化合物を重合させて得られる重合物を含有し、
該表面層が、さらに、下記式（Ｇ）で示される化合物、および下記式（Ｈ）で示される化合物からなる群より選択される少なくとも１種の化合物を該重合物の全質量に対して５ｐｐｍ以上１５００ｐｐｍ以下の含有比率で含有する表面層を有することを特徴とする電子写真感光体に関する。
【手続補正３】
【補正対象書類名】明細書
【補正対象項目名】００１１
【補正方法】変更
【補正の内容】
【００１１】
式（１）中、Ａｒ１およびＡｒ２は、置換基を有するフェニル基を示す。Ａｒ３は、置換もしくは無置換のフェニレン基を示す。Ｍは、上記式（Ｍ）で示される基であり、式（Ｍ）中、ｎは３または４の整数である。置換フェニル基の置換基、および置換フェニレン基の置換基としては、メチル基、エチル基、ｎ−プロピル基、メトキシ基、エトキシ基、プロポキシ基である。
【化６】
2013137517.tif 000006
（式（Ｇ）、（Ｈ）中、Ｒ７１〜Ｒ７４、Ｒ７６、Ｒ７７、Ｒ７９、およびＲ８０は、それぞれ独立に、水素原子、水酸基、置換もしくは無置換のアルキル基、置換もしくは無置換のアリール基、置換もしくは無置換のアルコキシ基を示し、Ｒ７１とＲ７４の少なくとも１つ、Ｒ７２とＲ７３の少なくとも１つ、Ｒ７６とＲ８０の少なくとも１つ、およびＲ７７とＲ７９の少なくとも１つは、それぞれ独立に、水素原子、メチル基、または水酸基である。Ｒ７５及びＲ７８はそれぞれ独立に、水素原子、置換もしくは無置換のアルキル基、置換もしくは無置換のアリール基を示し、Ｒ７５及びＲ７８のうち少なくとも１つは水素原子である。）